(57)【特許請求の範囲】
【請求項１】
種々のデータを保存するための記憶装置を備えた採血管理システムにおいて、
設定手段と、情報記録体読取手段と、採血管情報読取手段と、表示制御手段と、判定手段と、管理手段とを備え、
前記設定手段により、被採血者に対して必要とされた血液検査項目に関する情報と、当該被採血者を特定可能な被採血者情報とを紐づけて前記記憶装置に記憶させるとともに、前記血液検査項目に関する情報と、当該血液検査項目の種類に応じて任意に設定された採血管の種類に関する情報とを紐づけて前記記憶装置に記憶し、
前記被採血者情報が記録された記録媒体であって、当該被採血者が携帯する被採血者情報記録媒体を前記情報記録体読取手段により読み取り、
読み取った前記被採血者情報に基づいて、当該被採血者に対して必要とされた血液検査項目に対して予め設定された採血管の種類を特定可能な採血管種別特定情報を前記記憶装置から取得して前記表示制御手段により表示装置に表示し、
採血管の種類を識別可能な第１識別情報と、同一種類の採血管の各々を相互に識別するための第２識別情報とを含む採血管情報が読み取り可能に形成された複数の採血管の中から、前記表示装置に表示された前記採血管種別特定情報に基づいて採血実施者が一の採血管を選択して採血を行う、採血中または採血後の当該一の採血管の前記第１識別情報を前記採血管情報読取手段により読み取り、
読み取った当該第１識別情報が、前記表示装置に表示された前記採血管種別特定情報と一致するか否かを前記判定手段により判定し、
当該判定結果が一致しないものであった場合は、前記表示装置において警告し、
当該判定結果が一致するものであることを条件として、当該判定にかかる採血管に形成された前記採血管情報に対して、少なくとも当該被採血者の採血者情報を紐づけて前記管理手段により前記記憶装置に記憶させることにより、当該採血管がいずれの前記被採血者に使用されたかを管理する
ことを特徴とする採血管理システム。
【請求項２】
前記管理手段は、前記採血管情報に対して、当該採血管情報が形成された採血管を用いて行われた血液検査結果に関する情報をさらに紐づけて前記記憶装置に記憶させることを特徴とする請求項１に記載の採血管理システム。
【請求項３】
前記情報記録体読取手段により読み取られた前記被採血者情報が、採血予定者に対応するものであるか否かを判定する被採血者判定手段をさらに備え、
前記被採血者判定手段により、前記被採血者情報が前記採血予定者に対応するものであると判定された場合に、前記採血管種別特定情報の表示が行われることを特徴とする請求項１または２に記載の採血管理システム。
【請求項４】
前記採血管情報は、前記採血管の表面にバーコードで表示されていることを特徴とする請求項１ないし３のいずれか１項に記載の採血管理システム。
【請求項５】
前記採血管情報は、前記採血管に付されたＩＣタグに格納されていることを特徴とする請求項１ないし３のいずれか１項に記載の採血管理システム。
【発明の詳細な説明】
【技術分野】
【０００１】
本発明は、被採血者に関する被採血者情報などの採血に関連する情報を効率良く確実に管理する採血管理システムに関するものである。
【背景技術】
【０００２】
病院その他の医療機関では、患者が訴える症状に基づき所定の血液検査を行い、その検査結果に基づき患者の診断を確定することがよく行われる。例えば病院の採血室で患者から採取された血液は、採血管と呼ばれる容器に収納される。そして、血液検査を行うために、行うべき検査内容を記載した検査依頼書が採血管とともに、院内の検査部門または院外の検査センターなどの検査機関に送られる。そして、検査機関は、送られてきた採血管と検査依頼書とを照合し、その採血管内の血液について検査依頼書で指示されている所定の血液検査を行い、その検査結果を病院側に報告するようにしている。したがって、患者と採血管と検査依頼書とが確実に対応付けられている必要があり、これらの間での対応に一部でも誤りがあると、採血のやり直しが必要となって患者の負担を増大したり、最悪の場合には患者の誤診を招いてしまうこととなる。そこで、従来、患者と採血管と検査依頼書との間での対応ミスを未然に防止するようにしたものが提案されている（例えば特許文献１，２参照）。この特許文献１には、予め採血管に貼り付けられている同一コードを含む２枚のラベルのうち１枚を剥離して検査依頼書の所定欄に貼り付け、これらのラベルを読み取ることにより採血管と検査依頼書との一致を照合するようにした点が記載されている。また、特許文献２には、少なくとも容器種類および管理番号などをコード化したバーコードを透明体により形成したラベルが貼り付けられた採血管が記載されており、この採血管と検査依頼書との対応付けは、両者にバーコードを付することによって行い得る旨が記載されている。
【先行技術文献】
【特許文献】
【０００３】
【特許文献１】特許３２２６７５０号公報（段落００３０〜００３３）
【特許文献２】特開平９−３４３６１号公報（段落００１６，００２０）
【発明の概要】
【発明が解決しようとする課題】
【０００４】
上記従来の特許文献１，２に記載のシステムでは、採血管に貼り付けられているラベルを剥離して検査依頼書の所定欄に貼り付けたり、採血管と同一のバーコードを検査依頼書に付するなどの作業が必要となっている。しかしながら、このような作業を必要とするシステムでは、特に大病院では作業件数が膨大なものになるため、作業者の錯誤による人為的なミスが生じることは避けられない。その結果、採血のやり直しや患者の誤診を招くこととなってしまう。
【０００５】
本発明は、上記課題に鑑みてなされたもので、検査依頼書へのラベルなどの貼付作業を不要にして人為的なミスが生じる虞をなくすことにより、患者と採血管と検査項目との対応付けを確実に行うことが可能な採血管理システムを提供することを目的とする。
【課題を解決するための手段】
【０００６】
上記目的を達成するために、本発明にかかる採血管理システムは、種々のデータを保存するための記憶装置を備えた採血管理システムにおいて、設定手段と、情報記録体読取手段と、採血管情報読取手段と、表示制御手段と、判定手段と、管理手段とを備え、前記設定手段により、被採血者に対して必要とされた血液検査項目に関する情報と、当該被採血者を特定可能な被採血者情報とを紐づけて前記記憶装置に記憶させるとともに、前記血液検査項目に関する情報と、当該血液検査項目の種類に応じて任意に設定された採血管の種類に関する情報とを紐づけて前記記憶装置に記憶し、前記被採血者情報が記録された記録媒体であって、当該被採血者が携帯する被採血者情報記録媒体を前記情報記録体読取手段により読み取り、読み取った前記被採血者情報に基づいて、当該被採血者に対して必要とされた血液検査項目に対して予め設定された採血管の種類を特定可能な採血管種別特定情報を前記記憶装置から取得して前記表示制御手段により表示装置に表示し、採血管の種類を識別可能な第１識別情報と、同一種類の採血管の各々を相互に識別するための第２識別情報とを含む採血管情報が読み取り可能に形成された複数の採血管の中から、前記表示装置に表示された前記採血管種別特定情報に基づいて採血実施者が一の採血管を選択して採血を行う、採血中または採血後の当該一の採血管の前記第１識別情報を前記採血管情報読取手段により読み取り、読み取った当該第１識別情報が、前記表示装置に表示された前記採血管種別特定情報と一致するか否かを前記判定手段により判定し、当該判定結果が一致しないものであった場合は、前記表示装置において警告し、当該判定結果が一致するものであることを条件として、当該判定にかかる採血管に形成された前記採血管情報に対して、少なくとも当該被採血者の採血者情報を紐づけて前記管理手段により前記記憶装置に記憶させることにより、当該採血管がいずれの前記被採血者に使用されたかを管理することを特徴としている（請求項１）。
【０００７】
また、前記管理手段は、前記採血管情報に対して、当該採血管情報が形成された採血管を用いて行われた血液検査結果に関する情報をさらに紐づけて前記記憶装置に記憶させるようにしてもよい（請求項２）。
【０００８】
また、前記情報記録体読取手段により読み取られた前記被採血者情報が、採血予定者に対応するものであるか否かを判定する被採血者判定手段をさらに備え、前記被採血者判定手段により、前記被採血者情報が前記採血予定者に対応するものであると判定された場合に、前記採血管種別特定情報の表示が行われるようにしてもよい（請求項３）。
【０００９】
また、前記採血管情報は、前記採血管の表面にバーコードで表示されていてもよい（請求項４）。
【００１０】
また、前記採血管情報は、前記採血管に付されたＩＣタグに格納されていてもよい（請求項５）。
【発明の効果】
【００１１】
請求項１の発明によれば、採血作業者により選択された採血管の種類（第１識別情報）が、表示装置に表示された採血管種別特定情報と一致していると判定手段により判定されなければ、採血管情報と、被採血者情報とが紐づけて記憶されないため、間違った採血管で採血されたまま、採血管情報と被採血者情報とが紐づけて記憶されるのを防止できる。つまり、正しく選択された採血管の採血管情報と、被採血者情報とを紐づけて情報の一元管理を行うことができる。
【００１２】
また、請求項２の発明によれば、採血管情報と検査結果情報とをさらに紐づけて一元管理するため、採血管（採血管情報）と被採血者情報と、当該採血管の血液で行われた検査結果情報との紐づけを確実に行うことができる。
【００１３】
また、請求項３の発明によれば、情報記録体読取手段により読み取られた被採血者情報と、採血予定者とに齟齬が生じるのを防止でき、採血管（採血管情報）と被採血者情報との紐づけをより確実に行うことができる。
【００１４】
また、請求項４の発明によれば、採血管情報は、採血管の表面にバーコードとして表示されているため、バーコードリーダにより採血管情報を簡単かつ確実に読み取ることができる。また、例えば、採血管の表面に直接バーコードを印刷する構成であれば、バーコードシールを採血管に貼り付ける作業を削減できるとともに、バーコードシールの貼り間違いを防止できる。
【００１５】
また、請求項５の発明によれば、採血管に形成する採血管情報として、ＩＣタグを用いることができるため実用的である。
【図面の簡単な説明】
【００１６】
【図１】本発明の第１実施形態にかかる採血管理システムのブロック図である。
【図２】採血管を示す図である。
【図３】ＨＤ装置に記憶される情報記憶内容の一例であって、検査項目毎の採血管種別、取り扱い種別、保存種別、外観画像データの対応関係を示す図である。
【図４】ＨＤ装置に記憶される情報記憶内容の一例であって、被採血者情報毎の検査項目情報及び該検査項目情報に対応する採血管種別情報等の対応関係を示す図である。
【図５】受診者情報の照合画面を示す図である。
【図６】採血管と受診者情報との紐づけ画面を示す図である。
【図７】採血管と受診者情報との紐づけ画面を示す図である。
【図８】ＨＤ装置に記憶される情報記憶内容の一例を示す図である。
【図９】第１実施形態における採血処理の手順の一例を示すフローチャートである。
【図１０】採血一覧表示画面を示す図である。
【図１１】採血管情報表示画面を示す図である。
【図１２】ＨＤ装置に記憶される情報記憶内容の一例を示す図である。
【図１３】第１実施形態における検査処理の手順の一例を示すフローチャートである。
【図１４】図１３とは異なる検査処理の手順例を示すフローチャートである。
【図１５】本発明の第２実施形態にかかる採血管理システムのブロック図である。
【図１６】患者カードの模式図である。
【図１７】受付処理の手順の一例を示すフローチャートである。
【図１８】診察処理の手順の一例を示すフローチャートである。
【図１９】第２実施形態の検査処理の手順の一例を示すフローチャートである。
【発明を実施するための形態】
【００１７】
＜第１実施形態＞
図１は本発明の第１実施形態にかかる採血管理システムのブロック図、図２は採血管を示す図である。この図１は、健診センタに適用される採血管理システム１と、センタ外の検査センタに設けられた検査システム４とが、ＷＷＷ（World Wide Web）５を介して接続可能に構成されたネットワークシステム６を示している。ここで、採血管理システム１は、受診者（被採血者）の受付を行う受付カウンタに設けられた受付部１０と、被採血者から採血を行う採血室に設けられた採血部３０と、システム全体を統括する健診サーバ装置とを備える。受付部１０、採血部３０と、健診サーバ装置４０とは、互いに無線または有線のネットワークを介して接続されている。
【００１８】
健診サーバ装置４０は、採血管理システム１の各部の制御を行うＣＰＵ４１と、種々のデータを保存するためのハードディスク（ＨＤ）装置４２と、ＣＰＵ４１の動作を制御する制御プログラムが格納されたＲＯＭ４３と、検査サーバ装置８０の通信部８４との間でＷＷＷ５を介して通信を行う通信部４４とを備えている。ＣＰＵ４１の機能については後述する。
【００１９】
受付部１０は、初診や再診の健康診断受診者の受付を行うためのものである。受付担当者は、健康診断に訪れた受診者に対して、事前に作成した受診者ＩＤが記録された受診カード（本発明の「被採血者情報記録媒体」に相当）を配布する。
【００２０】
なお、健康診断の予約があった場合、受診者に応じて検査項目が指定される。したがって、健診センタでは、健康診断の予約があった場合は、受診者情報（被採血者情報）に対して、受診者に応じて指定された検査項目情報、予定日時情報などの情報を紐づけてＨＤ装置４２に記憶させる。受診者情報には、受診者ＩＤ、氏名、性別、年齢、生年月日、感染歴（例えば、Ｃ型肝炎等）などの複数種類の受診者の情報が格納される。
【００２１】
採血部３０は、モニタ３２と、バーコードリーダ３３と、キーボード３４と、サブサーバ装置４００とを備え、被採血者に対して採血を行うとともに、被採血者から採血した血液が入れられた採血管５０の管理を行う。
【００２２】
採血管理システム１の一部の制御を担うＣＰＵ４１０と、種々のデータを保存するためのハードディスク（ＨＤ）装置４２０と、ＣＰＵ４１０の動作を制御する制御プログラムが格納されたＲＯＭ４３０とを備える。ＣＰＵ４１０の機能については後述する。
【００２３】
また、この実施形態では、血液検査の検査項目に応じて使用される採血管の種類が設定されており、図３に示すように、血液検査の検査項目の種別に関する検査項目情報に対して、当該検査項目情報に応じて予め設定された採血管の種別に関する採血管種別情報、採血後の取り扱いに関する取り扱い種別情報、採血後の保存方法に関する保存種別情報、採血管の外観画像データが紐づけられてＨＤ装置４２０に記憶されている。
【００２４】
検査項目の種別としては、例えば、生化学、血糖、血算、肝機能等である。また、採血管には血液検査項目によって様々な種別があり、この実施形態では、健診センタがそれらの種別ごとに特定のコード（例えば、採血管種別「１」〜「２０」）を予め設定している。採血管種別は薬剤の封入の有無等により例えば採血管種別「１」〜「２０」が設定されている。ここで、検査項目の種別によって、複数の検査項目（小項目）を含んでいてもよい。例えば、ＣＲＰ、総蛋白、アルブミンなどの複数の検査項目（小項目）がまとめられて１つの検査項目の種別が構成されていてもよい。ただし、この場合、各小項目は、同じ採血管種別の採血管が設定されたものをまとめるとよい。そして、１つの検査項目の種別に対して、設定された採血管（同じ種別の採血管）が２本など、検査項目の種別によっては、同一種別の複数の採血管が設定されている場合があってもよい。
【００２５】
取り扱い種別は、採血後に採血管を揺らして薬剤と混合させる「転倒混和」や、採血後に採血管を揺らす必要がない「転倒混和不要」などの採血後の取り扱いの種類を示すものであり、採血管種別に応じて設定されている。保存種別は、採血後の採血管を冷蔵保存するのか、冷凍保存するのか等の採血管５０の保存方法を示すものであり、採血管種別に応じて設定されている。なお、採血管は、種別に応じて蓋５２の色や管本体５１に付されたラインや薬剤の有無等に違いがあり、外観画像データは、採血管５０の種別に応じて格納された外観画像データである。
【００２６】
例えば、図３を参照すると、検査項目１が格納された検査項目情報Ａ１に対して、採血管種別「１５」が格納された採血管種別情報Ｇ１５、取り扱い種別「転倒混和」が格納された取り扱い種別情報Ｋ１、保存種別「冷蔵」が格納された保存種別情報Ｌ１、採血管種別「１５」の採血管５０の外観画像データＭ１５が対応付けされてＨＤ装置４２０に記憶される。
【００２７】
なお、この実施形態では、健診サーバ装置４２に記憶されている、受診者情報（被採血者情報）に対して紐づけられた、受診者に応じて指定された検査項目情報、予定日時情報などの情報が常時サブサーバ装置４００に送信されている。そして、これらの情報と、図３に示す各検査項目情報に対応して設定された各種情報とに基づいて、被採血者情報に対して、検査項目情報、当該検査項目に対して設定されている採血管種別（採血管種別情報）、採血量、取り扱い種別情報、保存種別情報、外観画像データ、予定日時情報が紐づけられてＨＤ装置４２０に記憶される（図４参照）。なお、健診サーバ装置４２側で情報（被採血者情報に対して紐づけられた、受診者に応じて指定された検査項目情報、予定日時情報）がアップデートされた場合は、当該情報がサブサーバ装置４００に送信されてアップデートされる。
【００２８】
図４は、健康診断の予約があった場合にＨＤ装置４２０に記憶される情報記憶内容の一例を示す図である。図４の例では、被採血者情報Ｃ１の被採血者に対して、検査項目情報Ａ１（検査項目１）、検査項目情報Ａ５（検査項目５）、検査項目情報Ａ８（検査項目８）の３種類の検査項目が設定されており、さらに、検査項目１に対しては採血管種別「１５」の採血管が１本、検査項目５に対しては採血管種別「１２」の採血管が１本、検査項目８に対しては採血管種別「１３」の採血管が１本使用される。また、被採血者情報Ｃ２の被採血者に対して、検査項目情報Ａ４（検査項目４）の１種類の検査項目が設定されており、さらに、検査項目４に対しては採血管種別「１５」の採血管が１本、検査項目５に対しては採血管種別「０２」の採血管が１本使用される。
【００２９】
そして、ＨＤ装置４２０には、被採血者情報Ｃ１に対しては、検査項目情報Ａ１と、採血管種別情報Ｇ１５と、採血すべき量を格納した採血量情報Ｈ１と、取り扱い種別情報Ｋ１（「転倒混和」）と、保存種別情報Ｌ１（「冷蔵」）と、採血の予定日時を格納した予定日時情報Ｄ１と、採血管種別情報Ｇ１５に対応した外観画像データＭ１５とが対応付けられて記憶される。さらに、被採血者情報Ｃ１に対しては、検査項目情報Ａ５と、採血管種別情報Ｇ１２と、採血量情報Ｈ２と、取り扱い種別情報Ｋ１（「転倒混和」）と、保存種別情報Ｌ１（「冷蔵」）と、予定日時情報Ｄ２と、採血管種別情報Ｇ１２に対応した外観画像データＭ１２とが対応付けられて記憶される。さらに、被採血者情報Ｃ１に対しては、検査項目情報Ａ８と、採血管種別情報Ｇ１３と、採血量情報Ｈ１と、取り扱い種別情報Ｋ１（「転倒混和」）と、保存種別情報Ｌ１（「冷蔵」）と、予定日時情報Ｄ３と、採血管種別情報Ｇ１３に対応した外観画像データＭ１３とが対応付けられて記憶される。また、被採血者情報Ｃ２に対しては、検査項目情報Ａ４と、採血管種別情報Ｇ２と、採血量情報Ｈ２と、取り扱い種別情報Ｋ１（「転倒混和」）と、保存種別情報Ｌ１（「冷蔵」）と、予定日時情報Ｄ４と、採血管種別情報Ｇ２に対応した外観画像データＭ２とが対応付けられて記憶される。
【００３０】
採血管５０は、図２に示すように、管本体５１と、管本体５１の開口を封止する封止体としての蓋５２とを備えている。また、採血管５０の管本体５１の表面には、直にバーコード５３が印刷されており、このバーコード５３には、採血管５０ごとに異なる採血管情報６０がコード化されている。この採血管情報６０は、この実施形態では例えばＥＡＮ−１２８規格のバーコードで表されており、採血管５０の種別を識別するための採血管種別情報６１（本発明の「第１識別情報」に相当）と、同じ種類の採血管５０を相互に識別するための固有の識別情報６３（本発明の「第２識別情報」に相当）とを含んでいる。なお、採血管５０に印刷されるバーコードには、当該採血管５０の有効期限を表す期限情報と、健診センタ等の各医療機関を相互に識別するための医療機関情報とをさらに含んでいてもよい。また、この実施形態では、採血管５０の表面に直にバーコード５３を印刷する構成について説明したが、バーコード５３が印刷されたシールを採血管５０の表面に貼り付けるようにしてもよい。
【００３１】
また、採血管５０の管本体５１には、周方向に沿って１本または複数本のラインが付されているものがあり、採血管５０の蓋５２は、採血管の種別に応じて色が設定されている。
【００３２】
次に、被採血者情報Ｃ１を持つ被採血者が採血を行う場合を例として、図５〜図７および図９を参照して採血の手順について説明する。
【００３３】
健診受診者（被採血者情報Ｃ１）が受付部１０での受付を済ませ、採血部３０に訪れた場合、健診受診者は、例えば、受診者カードを採血部３０の受付担当者に渡したあと、待機する。受付担当者は、当該受診者カードを受け取ったときに、当該カードに含まれる受診者ＩＤを特定可能な情報（例えば、バーコード）を付した整理券を当該健診受診者に渡す。
【００３４】
当該健診受診者が採血を行うときに、採血実施者は、受付時に受け取った受診カードに付された受診者ＩＤをバーコードリーダ３３により読み取る。これにより、受診ＩＤ入力画面に読み取った受診者ＩＤ（１２３４００００）が表示される（受診者ＩＤ入力：図５（ａ））。受診者ＩＤの入力が完了すると、受診者照合画面に切り替わり、受診者ＩＤの読み込みが促される（図５（ｂ））。健診受診者（被採血者情報Ｃ１）は、採血部３０の受付時に受診者ＩＤが格納された整理券を所持しているため、採血実施者が整理券に付されたバーコードをバーコードリーダ３３で読み込む。当該コードの読み取りが完了すると、受診者照合画面に読み込んだ受診者ＩＤが表示されるとともに、入力した受診者ＩＤと、読み込んだ受診者ＩＤとが一致しているか否かの照合が行われる（図９のステップ＃１）。この実施形態において当該照合は、サブサーバ装置４００のＣＰＵ４１０により実行される。
【００３５】
照合の結果、入力した受診者ＩＤと、読み込んだ受診者ＩＤとが一致していない場合は（図９のステップ＃１でＮＯ）、例えば、モニタ３２（本発明の「表示装置」に相当）に警告画面が表示され、受診者ＩＤの入力画面に戻る。
【００３６】
受診者ＩＤが一致した場合は（図９のステップ＃１でＹＥＳ）、受診者照合画面に「受診者照合完了。採血管と受診者情報との紐づけを行います。」の文字が表示され、ＯＫを押すと、採血管と受診者情報の紐づけ画面に切り替わる（図６（ａ）：図９のステップ＃２）。
【００３７】
図６（ａ）に示す採血管と受診者情報の紐づけ画面には、入力した受診者ＩＤと、読み込んだ受診者ＩＤとが一致した被採血者情報Ｃ１に格納された受診者ＩＤ、氏名、性別、感染歴の有無、利き手、採血予定日が画面の上部領域に表示される。画面の中央領域には、検査番号（図６ではＮｏ．１〜Ｎｏ．３）が表示され、それぞれの検査番号の行には、当該検査番号の採血管種別情報、画面表示、採血量、採血管コード、取り扱い、状態の欄がこの順で横並びに表示される。
【００３８】
ここで、「採血管種別情報」の欄は、検査番号に対応する検査項目に設定された採血管の種別が表示される。これにより、被採血者に対して必要とされる採血管種別が把握できる。「画面表示」の欄は、当該採血管種別に設定された採血管５０の外観画像７７を表示させるためのもので、内側に「表示」の文字が表示された画面の矩形領域をクリックすると、当該採血管種別に応じて設定された採血管５０の外観画像７７が画面の左下部領域に表示される。具体的には、例えば、採血管種別「１２」（検査番号Ｎｏ．１）の行にある「表示」の文字をクリックすると、採血管種別「１２」の採血管５０の外観画像７７（外観画像データＭ１２）が表示される。これにより、採血実施者は、選択すべき採血管５０の種類を把握しやすくなる。なお、「採血管種別情報」の欄の表示は、採血者に必要とされる採血管の種別を把握できる情報を表示すればよく、この実施形態では、検査項目と、採血管種別とが紐づけてＨＤ装置４２０に記憶されているため（図３参照）、例えば、採血者に設定されている検査項目情報を表示するようにしてもよい。ここで、当該情報（採血管種別情報、検査項目情報）が、本発明の「採血管種別特定情報」に相当する。
【００３９】
「採血量」の欄は、検査番号の検査項目の種類に対応する採血管５０に採血する血液の量が表示される。これにより、当該採血管５０に採血すべき血液量を把握できる。「採血管コード」の欄は、実際に採血したとき当該採血管５０に付された採血管情報が表示されるが、採血前の状態では空欄で表示される。なお、採血後に採血実施者が当該採血管５０のバーコードをバーコードリーダ３３で読み取る。このとき取得した採血管情報に含まれる採血管種別情報６１が、いずれかの検査番号の採血管種別に該当するか否かが判定され、該当する種別であった場合に、初めて採血管情報が表示されるが、当該判定については後述する。「取り扱い」の欄は、採血後の採血管５０の取り扱い方法が表示される。具体的には、図３に示した採血管種別に設定された取り扱い方法が表示される（図３参照）。「状態」の欄は、採血処理が終了したか否かが表示され、採血未完の場合は空欄で、採血処理が終了の場合は「完了」の文字が表示される。
【００４０】
具体的な採血手順に戻ると、被採血者情報Ｃ１の場合の採血管と受診者情報の紐づけ画面の初期状態は、検査番号Ｎｏ．１の「採血管種別情報」の欄には採血管種別１２が表示され、「採血量」の欄には９ｍｌが表示され、「採血管コード」の欄は空欄で、「取り扱い」の欄には「転倒混和」が表示され、「状態」の欄は空欄となる。検査番号Ｎｏ．２の「採血管種別情報」には採血管種別１３が表示され、「採血量」の欄には２ｍｌが表示され、「採血管コード」の欄は空欄で、「取り扱い」の欄には「転倒混和」が表示され、「状態」の欄は空欄となる。検査番号Ｎｏ．３の「採血管種別情報」には採血管種別１５が表示され、「採血量」の欄には２ｍｌが表示され、「採血管コード」の欄は空欄で、「取り扱い」の欄には「転倒混和」が表示され、「状態」の欄は空欄となる。モニタ３２の当該画面表示に関する制御は、サブサーバ装置４００のＣＰＵ４１０が、ＨＤ装置４２０に記録されている被採血者情報に対して紐づけられた各種情報（図４参照）を取得して行う。
【００４１】
採血実施者は、「採血管種別情報」の欄などの表示に基づいて、必要な採血管５０を選択し（ステップ＃３）、被採血者から血液採取を行う（ステップ＃４）。次に、採血実施者は、採血中または採血後に、採血に用いた採血管５０に付されたバーコード５３（採血管情報）をバーコードリーダ３３で読み取る（ステップ＃５）。続いて、バーコードリーダ３３で読み取られた採血管種別情報６１が、被採血者に設定されている検査項目の採血管種別に対応しているか否かが判定される（ステップ＃６）。例えば、採血実施者が選択した採血管５０（採血管情報Ｂ１：ａ１５１１１１１１ａ）が、検査項目１に対応する採血管５０の採血管種別「１５」（図３参照）であった場合、サブサーバ装置４００のＣＰＵ４１０は、当該採血管５０が、検査項目１に設定された採血管種別に対応する採血管５０であると判定し（ステップ＃６でＹＥＳ）、紐づけ画面の検査番号Ｎｏ．３の「採血管コード」の欄に、読み込まれたバーコードに格納された採血管情報Ｂ１（ａ１５１１１１１１ａ）を表示する（図６（ｂ））。当該表示により、採血実施者に対して、検査番号Ｎｏ．３について適切な採血管５０を選択して採血が行われたことが分かる。
【００４２】
また、当該採血管５０が、検査項目１に設定された採血管種別に対応する採血管５０であると判定された場合（ステップ＃６でＹＥＳ）は、検査番号Ｎｏ．３の「状態」の欄に「完了」の文字が表示され、採血実施者に当該検査番号Ｎｏ．３（採血管種別１５：検査項目１）の採血処理の完了が報知される（図６（ｂ））。このとき、ＣＰＵ４１０は、採血が終了した採血管情報に対して、被採血者情報、検査項目情報、予定日時情報、実施日時情報、実施者情報、採血量情報等の各種情報を紐づけてＨＤ装置４２０に記憶させる（ステップ＃７：図８参照）。
【００４３】
他の検査番号の採血処理も同様に行われる。例えば、次の検査番号の採血管５０を選択し、採血を行った後、当該採血管５０に付された採血管情報を読み取った結果、採血実施者が当該採血管の種別が「採血管種別情報」の欄の種別と一致していないと判定された場合（ステップ＃６でＮＯ）、採血管と受診者情報の紐づけ画面上に警告画面が表示される（ステップ＃８：図７（ａ）参照）。これにより、採血実施者は、間違った採血管５０を選択したことを把握し、改めて検査番号に対応する採血管５０を選択して採血をやり直す（ステップ＃３〜＃５をやり直す）。これにより、間違った採血管５０も用いて採血が行われるのを確実に防止できる。
【００４４】
その後は、検査番号Ｎｏ．１（採血管種別１２：検査項目５）に対応する採血管５０（採血管情報Ｂ２（ａ１２１１１１１１ａ））を選択して採血が行われ、検査番号Ｎｏ．２（採血管種別１３：検査項目８）に対応する採血管５０（採血管情報Ｂ３（ａ１３１１１１１１ａ））を選択して採血が行われると、被採血者情報Ｃ１に対する採血の全てが終了する。このとき、採血管と受診者情報の紐づけ画面の検査番号Ｎｏ．１の「採血管コード」の欄には検査項目に対応する採血管情報（ａ１２１１１１１１ａ）が表示され、「状態」の欄には「完了」の文字が表示される。また、検査番号Ｎｏ．２の「採血管コード」の欄には検査項目に対応する採血管情報（ａ１３１１１１１１ａ）が表示され、「状態」の欄には「完了」の文字が表示される。また、検査番号Ｎｏ．３の「採血管コード」の欄には検査項目に対応する採血管情報（ａ１５１１１１１１ａ）が表示され、「状態」の欄には「完了」の文字が表示される。さらに、採血の実施完了の画面が表示され、「はい」をクリックすると、被採血者情報Ｃ１の採血処理の全てが終了し、メニュー画面に戻る（図７（ｂ）参照）。なお、この実施形態では、紐づけ画面の表示された検査番号の全ての採血が完了しなければ、採血の実施完了の画面が表示されないようになっており、誤って採血の途中で終了することがないよう構成されている。
【００４５】
なお、採血管と受診者情報の紐づけ画面の下部領域の「中止」をクリックすると採血を途中で中止することができ、この場合、ＣＰＵ４１０は、被採血者情報に、ステータス「中止」を格納したステータス情報を紐づけてＨＤ装置４２０に記憶させる。また、採血管と受診者情報の紐づけ画面の下部領域の「保留」をクリックすると採血を途中で中断することができ、この場合、ＣＰＵ４１０は、被採血者情報に、ステータス「保留」を格納したステータス情報を紐づけてＨＤ装置４２０に記憶させる。
【００４６】
図８は、採血完了後にＨＤ装置４２０に記憶される記憶内容の一例である。採血管情報に対応付けて、被採血者情報、検査項目情報、予定日時情報、実施日時情報、実施者情報、採血量情報がＨＤ装置４２０に記憶される。ここで、実施日時情報は、当該採血管情報に基づく採血管５０の採血が終了した日時が格納された情報で、図９のステップ＃６で採血管種別が一致すると判定された日時が格納される。実施者情報は採血を実施した人のＩＤ等が格納された情報である。その他の情報は、図４に記載された情報内容と同じ構成であるため説明を省略する。また、図８では図示していないが、当該採血管５０に設定された保存方法（保存種別情報）も採血管情報に対応付けてＨＤ装置４２０に記憶されている。
【００４７】
例えば、図８では、採血管情報Ｂ１に対応付けて、被採血者情報Ｃ１、検査項目情報Ａ１、予定日時情報Ｄ１、実施日時情報Ｅ１、実施者情報Ｆ１、採血量情報Ｈ１が記憶されている。また、採血管情報Ｂ２に対応付けて、被採血者情報Ｃ１、検査項目情報Ａ５、予定日時情報Ｄ２、実施日時情報Ｅ２、実施者情報Ｆ１、採血量情報Ｈ２が記憶されている。また、採血管情報Ｂ３に対応付けて、被採血者情報Ｃ１、検査項目情報Ａ８、予定日時情報Ｄ３、実施日時情報Ｅ３、実施者情報Ｆ１、採血量情報Ｈ１が記憶されている。また、採血管情報Ｂ４に対応付けて、被採血者情報Ｃ２、検査項目情報Ａ４、予定日時情報Ｄ４、実施日時情報Ｅ４、実施者情報Ｆ２、採血量情報Ｈ２が記憶されている。
【００４８】
なお、後述する血液検査が終了して検査結果が出た場合は、採血管情報に対応付けて、さらに検査結果情報がＨＤ装置４２０に記憶される。例えば、図８では、採血管情報Ｂ１を有する１本の採血管５０に対して、３個の検査結果情報Ｊ１〜Ｊ３が得られ、採血管情報Ｂ２を有する１本の採血管５０に対して、２個の検査結果情報Ｊ４〜Ｊ５が得られ、採血管情報Ｂ３を有する１本の採血管５０に対して、１個の検査結果情報Ｊ６が得られ、採血管情報Ｂ４を有する１本の採血管５０に対して、１個の検査結果情報Ｊ７が得られている。例えば、図８の検査項目情報Ａ１が「肝機能検査」である場合に、検査結果情報Ｊ１〜Ｊ３が「総蛋白」や「γ−ＧＴＰ」などに対応するものである。
【００４９】
そして、図８では、採血管情報Ｂ１に対応付けて、さらに検査結果情報Ｊ１〜Ｊ３が記憶されており、採血管情報Ｂ２に対応付けて、さらに検査結果情報Ｊ４〜Ｊ５が記憶されており、採血管情報Ｂ３に対応付けて、さらに検査結果情報Ｊ６が記憶されており、採血管情報Ｂ４に対応付けて、さらに検査結果情報Ｊ７が記憶されている。
【００５０】
この実施形態にかかる採血管理システム１では、ＨＤ装置４２０に記憶されている、被採血者情報に対応付けて記憶されている各種情報（図４）、および、採血管情報に対応付けて記憶されている各種情報（図８）などに基づいて、採血一覧表示、採血管情報表示をモニタ３２から閲覧が可能になっている。
【００５１】
例えば、図１０に示すように、採血一覧表示画面は、健診センタで実施された採血の一覧が表示される。この実施形態では、被採血者に対応して、予定日時、実施日時、受診者ＩＤ、受診者氏名、性別、生年月日、年齢、実施者、ステータスが表示される。なお、採血一覧表示画面では、ステータス（「完了」「保留」「中止」）検索により、ステータスの種類ごとの一覧表示を行うことも可能になっている。
【００５２】
また、採血管情報表示画面は、採血後の採血管５０のバーコードをバーコードリーダ３３で読み取ることにより、当該採血管５０に付された採血管情報に対応付けてＨＤ装置４２０に記憶されている各種情報（図８参照）が表示される。
【００５３】
例えば、図１１（ａ）に示すように、採血管情報表示画面には、採血管５０の受診者情報と、当該採血管５０の採血管情報とが表示される。受診者情報としては、受診者ＩＤ、氏名、性別、生年月日、年齢、感染（感染履歴）が表示可能であり、採血管情報としては、当該採血管５０が用いられる検査項目、保存方法、採血の予定日時、採血の実施日時、採血実施者が表示可能となっている。
【００５４】
ここで、「受診者ＩＤ」、「氏名」、「性別」、「生年月日」、「年齢」、「感染歴」の欄には、バーコードで読み込まれた採血管情報に対応付けて記憶されている被採血者情報に基づいた内容が表示される。また、「検査項目」の欄には、バーコードで読み込まれた採血管情報に対応付けて記憶されている検査項目情報が表示される。「保存」の欄には、バーコードで読み込まれた採血管情報に対応付けて記憶されている保存種別情報（図８では図示省略）が表示される。「予定日時」の欄には、バーコードで読み込まれた採血管情報に対応付けて記憶されている予定日時情報が表示される。「実施日時」の欄には、バーコードで読み込まれた採血管情報に対応付けて記憶されている保存種別情報が表示される。「実施者」の欄には、バーコードで読み込まれた採血管情報に対応付けて記憶されている実施者情報が表示される。
【００５５】
例えば、図１１（ｂ）は、図８の採血管情報Ｂ１が付された採血管５０のバーコードが読み込まれた場合の採血管情報表示画面である。これによれば、「採血管コード」の欄に採血管情報Ｂ１（ａ１５１１１１１１ａ）が表示される。また、受診者情報の「受診者ＩＤ」の欄には、採血管情報Ｂ１に対応付けて記憶されている被採血者情報Ｃ１に格納されている受診者ＩＤ（１２３４００００）が表示され、「氏名」の欄には被採血者情報Ｃ１に格納されている氏名（例えば山田太郎）が表示され、「性別」の欄には被採血者情報Ｃ１に格納されている性別（男）が表示され、「生年月日」の欄には被採血者情報Ｃ１に格納されている生年月日（２０ＡＡ／ＡＡ／ＡＡ）が表示され、「年齢」の欄には被採血者情報Ｃ１に格納されている年齢（ＸＸ）が表示され、「感染」の欄には被採血者情報Ｃ１に格納されている感染歴（Ｃ型肝炎）が表示される。
【００５６】
また、採血管情報の「検査項目」の欄には、採血管情報Ｂ１に対応付けて記憶されている検査項目情報Ａ１（検査項目１）が表示される。採血管情報の「保存」の欄には、採血管情報Ｂ１に対応付けて記憶されている保存種別情報（冷蔵：図８では図示省略）が表示される。採血管情報の「予定日時」の欄には、採血管情報Ｂ１に対応付けて記憶されている予定日時情報Ｄ１（２０ＸＸ／ＸＸ／ＸＸ：ＸＸ）が表示される。採血管情報の「実施日時」の欄には、採血管情報Ｂ１に対応付けて記憶されている実施日時情報Ｅ１（２０ＹＹ／ＹＹ／ＹＹ：ＹＹ）が表示される。採血管情報の「実施者」の欄には、採血管情報Ｂ１に対応付けて記憶されている実施者情報Ｆ１（例えば山田花子）が表示される。
【００５７】
図１３は第１実施形態における検査処理の手順の一例を示すフローチャートである。図１３では、説明の便宜上、採血管理システム１で実行される健診センタ側処理と、検査センタの検査システム４で実行される検査側処理とを左右に並べて示している。
【００５８】
まず、健診センタ側において、採血管情報６０（図２参照）を基にサブサーバ装置４００のＨＤ装置４２０に記憶されている検査項目情報を健診サーバ装置４０が取得し、当該情報が健診サーバ装置４０から検査サーバ装置８０に送信されるとともに（ステップ＃５０）、採取された血液が封入された採血管５０が検査センタに向けて発送される（ステップ＃５１）。
【００５９】
一方、検査センタ側において、その送信された検査項目情報を検査サーバ装置８０が受信し、採血管情報６０を基にＨＤ装置８２に記憶する（ステップ＃６０）。そして、検査センタの受入口まで採血管５０が運搬されてくると、搬送装置７１によりバーコードリーダ７２まで搬送され（ステップ＃６１）、バーコードリーダ７２により、その採血管５０の採血管情報６０が読み取られる（ステップ＃６２）。次いで、その読み取られた採血管情報６０に対応付けられてＨＤ装置８２に記憶されている検査項目情報を検査サーバ装置８０のＣＰＵ８１が検索し（ステップ＃６３）、分析装置７３，７４，７５のうち検索した検査項目情報に対応する分析装置に向けて搬送装置７１により採血管５０が搬送される（ステップ＃６４）。そして、その採血管５０内の血液に対する検査が行われ（ステップ＃６５）、その検査結果情報が採血管情報６０を基にＨＤ装置８２に一時的に記憶される（ステップ＃６６）。次いで、検査項目情報に対応する全ての検査結果情報がＨＤ装置８２に記憶されると、検査サーバ装置８０から健診サーバ装置４０に向けて、採血管情報６０を基に検査結果情報が一括して送信される（ステップ＃６７）。
【００６０】
一方、健診センタ側において、その送信された検査結果情報を健診サーバ装置４０が受信する（ステップ＃５２）。また、検査結果情報を健診サーバ装置４０が受診した場合は、当該情報がサブサーバ装置４００に送信され、サブサーバ装置４００では、その検査結果情報と被採血者情報と検査項目情報とを含む全ての情報を、採血管情報６０を基に一元的にＨＤ装置４２０に記憶する（ステップ＃５３）。
【００６１】
図１２は、ＨＤ装置８２に一時的に記憶される記憶内容の一例である。この場合、採血管情報に対応付けて、被採血者情報、検査項目情報、検査結果情報が記憶される。ここで、採血管情報Ｂ１を有する１本の採血管５０に対して、被採血者情報Ｃ１と、検査項目情報Ａ１と、３個の検査結果情報Ｊ１〜Ｊ３とが紐づけられてＨＤ装置８２に記憶される。また、採血管情報Ｂ２を有する１本の採血管５０に対して、被採血者情報Ｃ１と、検査項目情報Ａ５と、２個の検査結果情報Ｊ４〜Ｊ５とが紐づけられてＨＤ装置８２に記憶される。また、採血管情報Ｂ３を有する１本の採血管５０に対して、被採血者情報Ｃ１と、検査項目情報Ａ８と、１個の検査結果情報Ｊ６とが紐づけられてＨＤ装置８２に記憶される。また、採血管情報Ｂ４を有する１本の採血管５０に対して、被採血者情報Ｃ２と、検査項目情報Ａ４と、１個の検査結果情報Ｊ７とが紐づけられてＨＤ装置８２に記憶される。
【００６２】
そして、採血管情報に対応付けて記憶された検査結果情報が健診サーバ装置４０に送信されると、当該情報が、健診サーバ装置４０からサブサーバ装置４００に送信され、サブサーバ装置４００のＣＰＵ４１０が、採血管情報に、さらに検査結果情報を対応付けて記憶させる（図８参照）。これにより、採血管情報６０に対応付けされた各種情報が一元的にＨＤ装置４２０に記憶される。
【００６３】
図１４は図１３と異なる検査処理の手順例を示すフローチャートである。図１４でも図１３と同様に、健診センタの採血管理システム１で実行される健診センタ側処理と、検査センタの検査システム４で実行される検査側処理とを左右に並べて示している。
【００６４】
まず、健診センタ側において、採取された血液が封入された採血管５０が検査センタに向けて発送される（ステップ＃７０）。一方、検査センタ側において、健診センタからの採血管５０が受け入れられ（ステップ＃８０）、検査部７０の搬送装置７１により採血管５０がバーコードリーダ７２まで搬送され、バーコードリーダ７２により採血管５０の採血管情報６０が読み取られる（ステップ＃８１）。検査サーバ装置８０は、その読み取られた採血管情報６０を取得し、その採血管情報６０に対応付けられた検査項目情報の送信を健診サーバ装置４０に要求する（ステップ＃８２）。なお、この要求は、健診センタから受け入れた採血管５０のロットに含まれる全ての採血管情報６０を一括して送信すればよい。
【００６５】
健診センタ側の健診サーバ装置４０は、その要求を受信し（ステップ＃７１）、その採血管情報６０に対応付けてサブサーバ装置４００のＨＤ装置４２０に記憶されている検査項目情報を検索し、その検索した検査項目情報を検査サーバ装置８０に向けて送信する（ステップ＃７２）。検査センタ側の検査サーバ装置８０は、その送信された検査項目情報を受信してＨＤ装置８２に記憶する（ステップ＃８３）。そして、分析装置７３，７４，７５のうち受信した検査項目情報に対応する分析装置に向けて採血管５０が搬送装置７１により搬送される（ステップ＃８４）。
【００６６】
以下、検査センタ側のステップ＃８５〜＃８７は図１３のステップ＃６５〜＃６７と同一であり、健診センタ側のステップ＃７３，＃７４は図１３のステップ＃５２，＃５３と同一であるので説明を省略する。
【００６７】
以上のように、この実施形態によれば、バーコード（採血管情報６０）を印刷した採血管５０を用いて採血を行い、その採血管情報６０に対応付けて被採血者情報および検査項目情報等の各種情報をＨＤ装置４２０に記憶しているため、採血管情報６０を基に被採血者情報および検査項目情報等の各種情報を一元管理することができる。これによって、採血管理システム１における採血に関する情報管理を簡素化することができる。
【００６８】
また、採血前には、受診者カードに記憶されている受診者ＩＤと、受診者（被採血者）が所持する受診者ＩＤが記録された整理券とが照合され、一致しなければ採血管と受診者情報の紐づけ画面に移行しないため、間違った被採血者に採血が実施されるのを防止できる。これにより、採血管情報と、被採血者情報、検査項目情報等の各種情報と対応付けをより確実に行うことができる。
【００６９】
また、採血中または採血後に当該採血管５０に印刷されたバーコード（採血管情報）が読み取られたときに、当該採血管５０の採血管情報に含まれる採血管種別情報６１が、被採血者情報に対応付けられて記憶されている検査項目情報（検査項目）の採血管種別（採血管種別情報）と一致しているか否かが判定される。ここで、読み取られた採血管種別情報６１が、当該被採血者のいずれの検査項目（検査項目情報）の採血管種別とも一致しなかった場合は、警告画面が表示されるため、間違った採血管５０を選択して採血が行われるのを確実に防止できる。
【００７０】
また、採血管５０に付されたバーコードは管本体５１に直接印刷されているため、バーコードシールを採血管５０に貼り付ける作業を削減できるとともに、貼り間違いを防止できる。また、バーコードリーダにより採血管情報を簡単かつ確実に読み取ることができる。
【００７１】
また、この実施形態によれば、採血管情報６０をＥＡＮ−１２８規格のバーコードで表しているため、識別情報６３と採血管種別情報６１とを簡単かつ確実に表示することができる。
【００７２】
また、この実施形態によれば、採血管５０には患者の被採血者情報が貼り付けられておらず、採血管５０の採血管情報６０を基に被採血者情報および検査項目情報を一元管理しているため、採血室への患者の到着順に採血作業を行うことができる。
【００７３】
また、採血管情報６０に対応付けてさらに検査結果情報をＨＤ装置４２０に記憶しているため、採血管情報６０に被採血者情報、検査項目情報、検査結果情報などの各種情報を紐づけて一元的に管理することができる。これによって、採血管理システム１における採血に関する情報管理を簡素化することができる。
【００７４】
＜第２実施形態＞
図１５は本発明にかかる採血管理システムの第２実施形態である電子カルテシステムを示すブロック図、図１６は患者カードの模式図である。この図１５は、病院の電子カルテシステム１を示しており、外来患者の受付を行う受付カウンタに設けられた受付部１０と、診療科に対応して患者の診察を行う診察室に設けられた診察部２０と、患者から採血を行う採血室に設けられた採血部３０と、血液検査を行う検査部７０と、システム全体を統括する病院サーバ装置４０とを備えている。受付部１０、診察部２０、採血部３０、検査部７０と、病院サーバ装置４０とは、互いに無線または有線のネットワーク２を介して接続されている。
【００７５】
なお、診察部２０は診療科に対応して設けられるもので、図１５では１つの診察部２０のみを図示しているが、１つに限られず、例えば内科や外科などの複数の診療科がある場合には、各診療科に対応してそれぞれ設けられるものである。また、図１５では１つの受付部１０のみを図示しているが、これも同様であり、例えば受付カウンタに複数の受付部１０を設けるようにしてもよい。また、検査部７０の詳細については後述する。
【００７６】
病院サーバ装置４０は、電子カルテシステム１の各部の制御を行うＣＰＵ４１と、種々のデータを保存するためのハードディスク（ＨＤ）装置４２と、ＣＰＵ４１の動作を制御する制御プログラムが格納されたＲＯＭ４３とを備えている。ＣＰＵ４１の機能については後述する。
【００７７】
受付部１０は、初診や再診の外来患者の受付を行うためのものである。受付担当者は、外来患者が初診の場合には、モニタ１１を見ながらキーボード１２を操作して、当該初診の外来患者の氏名、性別、住所、生年月日などを含む患者特定情報を作成するとともに、患者の希望する診療科を入力し、その患者特定情報が記録された患者カード１６を作成する。この患者特定情報は、本発明の「被採血者情報」に相当するものであり、以下「被採血者情報」という。患者カード１６（本発明の「被採血者情報記録媒体」に相当）は、この実施形態では例えば図１６に示すようにＩＣチップ１７が組み込まれたメモリカードで、ＩＣカードリーダライタ１３により被採血者情報をＩＣチップ１７に書き込むことで、その外来患者専用の患者カード１６が作成される。また、受付担当者は、外来患者が再診の場合には、その外来患者が所持する患者カード１６の被採血者情報をＩＣカードリーダライタ１３により読み取って当該患者の電子カルテをモニタ１１に表示し、キーボード１２を操作して、当該患者が希望する診療科を電子カルテに記入することによって、再診の外来患者の受付を行う。この電子カルテシステム１では、病院内を移動する患者は常に患者カード１６を携帯するようになっている。
【００７８】
そして、病院サーバ装置４０のＣＰＵ４１は、受付部１０において受付が行われた患者の被採血者情報に基づき、初診の外来患者の電子カルテを作成してＨＤ装置４２に保存する。また、病院サーバ装置４０のＣＰＵ４１は、受付部１０において受付が行われた初診または再診の外来患者の電子カルテを、当該患者が希望する診療科に対応する診察部（ここでは診察部２０とする）に送る。
【００７９】
診察部２０では、担当医師が、モニタ２１を見ながらキーボード２２を操作し、順番に患者の電子カルテをモニタ２１に表示させて患者の氏名を呼び出す。呼ばれて入室した患者の患者カード１６がＩＣカードリーダ２３により読み取られ、同姓同名の異なる患者ではないことが確認される。担当医師は、患者の診察を行い、血液検査が必要と判断したときは、キーボード２２を操作して必要な検査項目（例えば脂質検査や肝機能検査など）からなる検査項目情報を電子カルテに書き込む。これによって、検査項目情報が、被採血者情報と対応付けられて設定されることとなる。そして、病院サーバ装置４０のＣＰＵ４１は、検査項目情報が書き込まれた電子カルテをＨＤ装置４２に保存する。被採血者情報に対応付けられた検査項目情報は、第１実施形態と同様にサブサーバ装置４００に送信され、ＨＤ装置４２０に図４と同様のデータが記憶される。血液検査が指示された患者は、診察部２０が設けられた診察室から採血部３０が設けられた採血室に移動する。
【００８０】
患者が採血室に到着すると、まず、その患者の携帯する患者カード１６が採血部３０のＩＣカードリーダ３１（第１実施形態の受診者カードに相当）により読み取られて当該患者の被採血者情報が取得され、病院サーバ装置４０のＣＰＵ４１は、当該患者が採血予定者と一致するか否かを照合する（第１実施形態のステップ＃１）。その後の採血処理の手順は第１実施形態と同じであるため説明を省略する。また、採血管５０の構成についても、第１実施形態と同じであるため説明を省略する。
【００８１】
図１７は受付処理の手順の一例を示すフローチャート、図１８は診察処理の手順の一例を示すフローチャートである。
【００８２】
図１７に示すように、受付カウンタにおける受付処理では、まず、外来患者が初診の場合には（ステップ＃１０でＹＥＳ）、被採血者情報が作成され（ステップ＃１１）、さらに患者の希望する診療科が入力されて（ステップ＃１２）、電子カルテが作成されてＨＤ装置４２に記憶される（ステップ＃１３）。また、ＩＣカードリーダライタ１３により被採血者情報がＩＣチップ１７に書き込まれて患者カード１６が作成される（ステップ＃１４）。そして、患者が希望する診療科の診察部２０に向けて病院サーバ装置４０のＣＰＵ４１により電子カルテが送信される（ステップ＃１５）。一方、外来患者が再診の場合には（ステップ＃１０でＮＯ）、その外来患者が所持する患者カード１６の被採血者情報をＩＣカードリーダライタ１３により読み取り（ステップ＃１６）、当該患者が希望する診療科が電子カルテに記入され（ステップ＃１７）、その診療科の診察部２０に向けて病院サーバ装置４０のＣＰＵ４１により電子カルテが送信される（ステップ＃１５）。
【００８３】
図１８に示すように、診察室における診察処理では、まず、担当医師によりモニタ２１に順番に患者の電子カルテが表示されて患者の氏名が呼び出され（ステップ＃２０）、入室した患者の患者カード１６がＩＣカードリーダ２３により読み取られて同姓同名の異なる患者ではないことが確認されて（ステップ＃２１）、患者の診察が開始される（ステップ＃２２）。そして、血液検査が必要と判断したときは検査項目情報が電子カルテに書き込まれて（ステップ＃２３）、その患者の診察が終了する。
【００８４】
この実施形態では、図１５に示す電子カルテシステム１を有する同一病院内に血液検査部門（検査部７０）が設置されている。採血部３０が設けられた採血室において患者から採取された血液が封入された採血管５０は、例えば自走式ロボットや運搬作業者などによって、採血室から検査部門の受入口まで運搬される。
【００８５】
検査部７０は、採血管５０を搬送する搬送装置７１と、採血管５０の採血管情報６０を読み取るバーコードリーダ７２と、種々の検査項目の血液検査を行う分析装置７３，７４，７５とを備えている（図１５参照）。なお、図８では、３つの分析装置７３〜７５を備えているが、これに限られず、患者の診察に要求される検査項目の血液検査が可能な個数の分析装置を備えるようにすればよい。
【００８６】
検査部７０の搬送装置７１は、受入口まで運搬されてきた採血管５０をバーコードリーダ７２に向けて搬送し、バーコードリーダ７２は、搬送されてきた採血管５０の採血管情報６０を読み取る。病院サーバ装置４０のＣＰＵ４１は、バーコードリーダ７２により読み取られた採血管情報６０を取得し、その採血管情報６０に対応付けられてサブサーバ装置４００のＨＤ装置４２０に記憶されている検査項目情報を検索する。ＣＰＵ４１は、搬送装置７１を制御して、分析装置７３，７４，７５のうち検査項目情報に対応する分析装置に向けて採血管５０を搬送する。そして、分析装置７３，７４，７５は、それぞれ、採血管５０から必要な分量の血液を取り出し、検査を行う。ＣＰＵ４１は、その結果を検査結果情報として取得し、その検査結果情報をサブサーバ装置４００に送信し、例えば図８に示すように、ＣＰＵ４１０が採血管情報６０に対応付けて、ＨＤ装置４２０に記憶する。
【００８７】
図１９は第２実施形態における検査処理の手順の一例を示すフローチャートである。図１９に示すように、検査部７０における検査処理では、まず、検査部門の受入口まで運搬されてきた採血管５０が搬送装置７１によりバーコードリーダ７２まで搬送され、バーコードリーダ７２により、その採血管５０の採血管情報６０が読み取られる（ステップ＃４０）。次いで、その読み取られた採血管情報６０に対応付けられてＨＤ装置４２０に記憶されている検査項目情報が検索され（ステップ＃４２）、分析装置７３，７４，７５のうちその検査項目情報に対応する分析装置に向けて搬送装置７１により採血管５０が搬送される（ステップ＃４３）。そして、その採血管５０内の血液に対する検査が行われ（ステップ＃４４）、病院サーバ装置４０のＣＰＵ４１が検査結果情報を取得する（ステップ＃４５）。そして、病院サーバ装置４０のＣＰＵ４１は、当該検査結果情報をサブサーバ装置４００に送信し、サブサーバ装置４００のＣＰＵ４１０が、採血管情報６０を基に、被採血者情報、検査項目情報および検査結果情報の全ての情報を一元的にＨＤ装置４２０に記憶させる（ステップ＃４６）。
【００８８】
以上のように、この実施形態によれば、第１実施形態と同様に、バーコード（採血管情報６０）を印刷した採血管５０を用いて採血を行い、その採血管情報６０に対応付けて被採血者情報および検査項目情報等の各種情報をＨＤ装置４２０に記憶しているため、採血管情報６０に被採血者情報および検査項目情報等の各種情報を紐づけて一元管理することができる。これによって、採血管理システム１における採血に関する情報管理を簡素化することができる。
【００８９】
また、この実施形態によれば、採血室に到着した患者の携帯する患者カード１６が採血部３０のＩＣカードリーダ３１により読み取られて当該患者の被採血者情報が取得され、サブサーバ装置４００のＣＰＵ４１０は、その被採血者情報に対応付けて設定されている検査項目情報に対応する採血管種別情報をモニタ３２に表示し、採血作業者は、その採血管種別情報を見て必要な種別の採血管５０を必要な個数だけ選択するようにしているため、採血管５０の適正な選択を確実に行うことができる。
【００９０】
また、この実施形態によれば、採血管情報６０をＥＡＮ−１２８規格のバーコードで表しているため、識別情報６３と採血管種別情報６１とを簡単かつ確実に表示することができる。
【００９１】
また、患者の被採血者情報が予め貼り付けられた採血管を用いて当該患者の採血を行うシステムでは、診察が終了して採血室に到着した患者は、自分の被採血者情報が貼り付けられた採血管の準備が完了するまで採血室で待機することになる。例えば被採血者情報の貼付作業の都合で採血管の準備完了まで時間を要したり、診察が短時間で済んだために患者の採血室への到着が早くなった場合には、採血室での待機時間が長くなるため、ただでさえ体調の良くない患者にとって多大な苦痛となる。これに対して、この実施形態によれば、採血管５０には患者の被採血者情報が貼り付けられておらず、採血管５０の採血管情報６０に被採血者情報および検査項目情報を紐づけて一元管理しているため、採血室への患者の到着順に採血作業を行うことができる。これによって、患者の採血室での待機時間を可能な限り短縮でき、患者に対するサービスを向上することができる。
【００９２】
また、この実施形態によれば、採血管情報６０にさらに検査結果情報を紐づけてＨＤ装置４２０に記憶しているため、採血管情報６０を基に被採血者情報と検査項目情報と検査結果情報とを一元的に管理することができる。これによって、電子カルテシステム１における採血に関する情報管理を簡素化することができる。
【００９３】
なお、本発明は上記各実施形態に限定されるものではなく、その趣旨を逸脱しない限りにおいて上述したもの以外に種々の変更を加えることが可能である。
【００９４】
例えば、健診カード、整理券、患者カードに代えて、受診者や患者が携帯するリストバンドに被採血者情報（例えば受診者ＩＤ）を格納するバーコードが付されている場合には、そのバンドの被採血者情報を読み取るようにすればよい。
【００９５】
また、上記各実施形態では、採血管情報６０をＥＡＮ−１２８規格のバーコードで表示しているが、これに限られず、他の規格のバーコードで表示してもよい。さらにまた、バーコードに限られず、２次元コードなどの他のコードで表示してもよく、その場合には、バーコードリーダに代えて、当該コードを読み取る読取手段を備えるようにすればよい。
これらの形態でも、上記各実施形態と同様の効果を得ることができる。
【００９６】
また、採血管情報６０をコードで表示するのに代えて、例えば採血管情報６０が記憶されたＩＣタグ（例えば、ＲＦＩＤタグ）を管本体５１の内部に設けてもよい。このＩＣタグは、血液や薬剤で影響が及ぼされないように例えば防護膜などで被覆しておくのが好ましい。この場合には、バーコードリーダ３３，７２に代えて、ＩＣタグに記憶されている採血管情報６０を非接触で読取可能なＩＣメモリリーダを備えればよい。
【符号の説明】
【００９７】
１…採血管理システム、３２…モニタ（表示装置）、３３…バーコードリーダ（情報記録体読取手段、採血管情報読取手段）、４１…ＣＰＵ（設定手段、判定手段、管理手段、被採血者判定手段、表示制御手段）、４２…ＨＤ装置（記憶装置）
【要約】
【課題】患者と採血管と検査項目との対応付けを確実に行う。
【解決手段】採血室に到着した受診者の携帯する被採血者情報が採血部３０のバーコードリーダ３３により読み取られて当該患者の被採血者情報が取得され、サブサーバ装置４００のＣＰＵ４１０は、その被採血者情報に対応付けて設定されている採血管種別情報をモニタ３２に表示する。採血作業者は、その採血管種別情報を見て採血管を選択する。そして、採血作業者は、選択した採血管で採血を行った後、バーコードリーダ３３によって選択した採血管の採血管情報を読み取らせる。ここで、読み取らせた採血管情報の採血管種別情報が、被採血者情報に対応する採血管種別と異なる場合は、警告報知がなされる。サブサーバ装置４００のＣＰＵ４１０は、採血が無事終了すると、採血管情報に対応付けて、被採血者情報および検査項目情報をＨＤ装置４２０に記憶する。
【選択図】図９【図１】
0006886740.tif 000002
【図２】
0006886740.tif 000003
【図３】
0006886740.tif 000004
【図４】
0006886740.tif 000005
【図５】
0006886740.tif 000006
【図６】
0006886740.tif 000007
【図７】
0006886740.tif 000008
【図８】
0006886740.tif 000009
【図９】
0006886740.tif 000010
【図１０】
0006886740.tif 000011
【図１１】
0006886740.tif 000012
【図１２】
0006886740.tif 000013
【図１３】
0006886740.tif 000014
【図１４】
0006886740.tif 000015
【図１５】
0006886740.tif 000016
【図１６】
0006886740.tif 000017
【図１７】
0006886740.tif 000018
【図１８】
0006886740.tif 000019
【図１９】
0006886740.tif 000020